(57)【要約】【課題】収容部に突起を設け、本体装置に突起が挿入される溝および突起を移動させる機構を設ける場合よりも、引き込み機能を実現するにあたり、本体装置において必要とされる空間を低減する。【解決手段】筐体３１は、給紙部に設けられる。筐体３１には、溝３６が形成される。溝３６は、給紙部が画像形成装置内に収納される方向に移動される間に定められた位置に到達したときの突起２３の位置に対応する開始位置Ｐ１から、給紙部が画像形成装置内に収納されたときの突起２３の位置に対応する終了位置Ｐ２へと延びる。溝３６は、開始位置Ｐ１に開口部３６１を有する。移動部３２は、筐体３１内に設けられ、給紙部が定められた位置に到達して突起２３が開口部３６１に挿入されると、突起２３を保持したまま移動して、突起２３を溝３６に沿って終了位置Ｐ２へと筐体３１に対して移動させる。【選択図】図５
2019052044.tif 000002
【特許請求の範囲】
【請求項１】
突起が設けられた本体装置から引き出される収容部に設けられた筐体であって、前記収容部が前記本体装置内に収納される方向に移動される間に定められた位置に到達したときの前記突起の位置に対応する第１位置から、前記収容部が前記本体装置内に収納されたときの前記突起の位置に対応する第２位置へと延び、前記第１位置に開口部を有する溝が形成された筐体と、
前記筐体内に設けられ、前記収容部が前記定められた位置に到達して前記突起が前記開口部に挿入されると、前記突起を保持したまま移動して、前記突起を前記溝に沿って前記第２位置へと前記筐体に対して移動させる移動部と
を備える引き込み装置。
【請求項２】
前記筐体は、前記収容部に内蔵される
請求項１記載の引き込み装置。
【請求項３】
前記筐体は、前記収容部の引き出し方向側に内蔵される
請求項２に記載の引き込み装置。
【請求項４】
前記筐体は、前記収容部と一体に形成される
請求項１から３のいずれか１項に記載の引き込み装置。
【請求項５】
前記収容部において前記収容部の引き出し方向と交わる方向の一方の端部には、前記収容部の位置決めを行う位置決め部が設けられ、
前記筐体は、前記収容部の前記一方の端部に設けられる
請求項１から４のいずれか１項に記載の引き込み装置。
【請求項６】
前記移動部は、軸を中心に回転して移動する
請求項１から５のいずれか１項に記載の引き込み装置。
【請求項７】
前記移動部は、前記軸から見て前記開口部側に重心を有さない
請求項６に記載の引き込み装置。
【請求項８】
前記移動部は、前記溝が延びる方向に沿って移動する
請求項１から７のいずれか１項に記載の引き込み装置。
【請求項９】
突起が設けられた本体装置から引き出される収容部と、
前記収容部に設けられた筐体であって、前記収容部が前記本体装置内に収納される方向に移動される間に定められた位置に到達したときの前記突起の位置に対応する第１位置から、前記収容部が前記本体装置内に収納されたときの前記突起の位置に対応する第２位置へと延び、前記第１位置に開口部を有する溝が形成された筐体と、
前記筐体内に設けられ、前記収容部が前記定められた位置に到達して前記突起が前記開口部に挿入されると、前記突起を保持したまま移動して、前記突起を前記溝に沿って前記第２位置へと前記筐体に対して移動させる移動部と
を備える収容装置。
【請求項１０】
突起が設けられた第１筐体と、
記録媒体を収容し、前記第１筐体から引き出される収容部と、
前記記録媒体上に画像を形成する画像形成部と、
前記収容部に設けられた第２筐体であって、前記収容部が前記第１筐体内に収納される方向に移動される間に定められた位置に到達したときの前記突起の位置に対応する第１位置から、前記収容部が前記第１筐体内に収納されたときの前記突起の位置に対応する第２位置へと延び、前記第１位置に開口部を有する溝が形成された第２筐体と、
前記第２筐体内に設けられ、前記収容部が前記定められた位置に到達して前記突起が前記開口部に挿入されると、前記突起を保持したまま移動して、前記突起を前記溝に沿って前記第２位置へと前記第２筐体に対して移動させる移動部と
を備える画像形成装置。
【発明の詳細な説明】
【技術分野】
【０００１】
本発明は、引き込み装置、収容装置、及び画像形成装置に関する。
【背景技術】
【０００２】
本体装置へ収容部を収納する際、利用者が本体装置の予め定められた位置まで収納した後は、利用者の力を必要とせず、本体装置に収容部が収容される機能（引き込み機能）が知られている。例えば特許文献１及び２には、給紙カセットを画像形成装置内に引き込む引き込み装置が記載されている。特許文献１及び２では、いずれも、給紙カセットに突起が設けられ、突起が挿入される溝及び突起を移動させる機構が画像形成装置の背面の内側に設けられている。
【先行技術文献】
【特許文献】
【０００３】
【特許文献１】特開２０１５−２１４４０３号公報
【特許文献２】特開２０１５−２０９３１１号公報
【発明の概要】
【発明が解決しようとする課題】
【０００４】
本発明は、収容部に突起を設け、本体装置に突起が挿入される溝および突起を移動させる機構を設ける場合よりも、引き込み機能を実現するにあたり、本体装置において必要とされる空間を低減することを目的とする。
【課題を解決するための手段】
【０００５】
請求項１に係る発明は、突起が設けられた本体装置から引き出される収容部に設けられた筐体であって、前記収容部が前記本体装置内に収納される方向に移動される間に定められた位置に到達したときの前記突起の位置に対応する第１位置から、前記収容部が前記本体装置内に収納されたときの前記突起の位置に対応する第２位置へと延び、前記第１位置に開口部を有する溝が形成された筐体と、前記筐体内に設けられ、前記収容部が前記定められた位置に到達して前記突起が前記開口部に挿入されると、前記突起を保持したまま移動して、前記突起を前記溝に沿って前記第２位置へと前記筐体に対して移動させる移動部とを備える引き込み装置である。
【０００６】
請求項２に係る発明は、請求項１に記載の引き込み装置において、前記筐体は、前記収容部に内蔵される。
【０００７】
請求項３に係る発明は、請求項２に記載の引き込み装置において、前記収容部の引き出し方向側に内蔵される。
【０００８】
請求項４に係る発明は、請求項１から３のいずれか１項に記載の引き込み装置において、前記筐体は、前記収容部の筐体と一体に形成される。
【０００９】
請求項５に係る発明は、請求項１から４のいずれか１項に記載の引き込み装置において、前記収容部において前記収容部の引き出し方向と交わる方向の一方の端部には、前記収容部の位置決めを行う位置決め部が設けられ、前記筐体は、前記収容部の前記一方の端部に設けられる。
【００１０】
請求項６に係る発明は、請求項１から５のいずれか１項に記載の引き込み装置において、前記移動部は、軸を中心に回転して移動する。
【００１１】
請求項７に係る発明は、請求項６に記載の引き込み装置において、前記移動部は、前記軸から見て前記開口部側に重心を有さない。
【００１２】
請求項８に係る発明は、請求項１から７のいずれか１項に記載の引き込み装置において、前記移動部は、前記溝が延びる方向に沿って移動する。
【００１３】
請求項９に係る発明は、突起が設けられた本体装置から引き出される収容部と、前記収容部に設けられた筐体であって、前記収容部が前記本体装置内に収納される方向に移動される間に定められた位置に到達したときの前記突起の位置に対応する第１位置から、前記収容部が前記本体装置内に収納されたときの前記突起の位置に対応する第２位置へと延び、前記第１位置に開口部を有する溝が形成された筐体と、前記筐体内に設けられ、前記収容部が前記定められた位置に到達して前記突起が前記開口部に挿入されると、前記突起を保持したまま移動して、前記突起を前記溝に沿って前記第２位置へと前記筐体に対して移動させる移動部とを備える収容装置である。
【００１４】
請求項１０に係る発明は、突起が設けられた第１筐体と、記録媒体を収容し、前記第１筐体から引き出される収容部と、前記記録媒体上に画像を形成する画像形成部と、前記収容部に設けられた第２筐体であって、前記収容部が前記第１筐体内に収納される方向に移動される間に定められた位置に到達したときの前記突起の位置に対応する第１位置から、前記収容部が前記第１筐体内に収納されたときの前記突起の位置に対応する第２位置へと延び、前記第１位置に開口部を有する溝が形成された第２筐体と、前記第２筐体内に設けられ、前記収容部が前記定められた位置に到達して前記突起が前記開口部に挿入されると、前記突起を保持したまま移動して、前記突起を前記溝に沿って前記第２位置へと前記第２筐体に対して移動させる移動部とを備える画像形成装置である。
【発明の効果】
【００１５】
請求項１に係る発明によれば、収容部に突起を設け、本体装置に突起が挿入される溝および突起を移動させる機構を設ける場合よりも、引き込み機能を実現するにあたり、本体装置において必要とされる空間を低減することができる。
請求項２または３に係る発明によれば、筐体が収容部の外側に設けられる場合に比べて、引き込み装置と収容部との合わせた体積を減らすことができる。
請求項４に係る発明によれば、筐体が収容部の筐体と別体に形成される場合に比べて、引き込み装置を構成する部品点数を減らすことができる。
請求項５に係る発明によれば、筐体が引き出し方向と交わる方向において位置決め部と異なる側の端部に設けられる場合に比べて、収容部の位置決めの精度を高めることができる。
請求項６に係る発明によれば、収容部に突起を設け、本体装置に突起が挿入される溝および突起を移動させる機構を設ける場合よりも、引き込み機能を実現するにあたり、本体装置において必要とされる空間を低減することができる。
請求項７に係る発明によれば、移動部が軸から見て開口部側に重心を有する場合よりも、収容部が引き出されたことによる移動部の第１位置から第２位置への回転を低減できる。
請求項８に係る発明によれば、収容部に突起を設け、本体装置に突起が挿入される溝および突起を移動させる機構を設ける場合よりも、引き込み機能を実現するにあたり、本体装置において必要とされる空間を低減することができる。
請求項９に係る発明によれば、収容部に突起を設け、本体装置に突起が挿入される溝および突起を移動させる機構を設ける場合よりも、引き込み機能を実現するにあたり、本体装置において必要とされる空間を低減することができる。
請求項１０に係る発明によれば、収容部に突起を設け、第１筐体に突起が挿入される溝および突起を移動させる機構を設ける場合よりも、引き込み機能を実現するにあたり、第1筐体において必要とされる空間を低減することができる。
【図面の簡単な説明】
【００１６】
【図１】実施形態に係る画像形成装置１の一例を示す側面図である。
【図２】画像形成装置１の一例を示す正面図である。
【図３】図２中のＡ部の一例を示す拡大図である。
【図４】引き込み装置３０の一例を示す平面図である。
【図５】引き込み装置３０の動作の一例を示す図である。
【図６】他の実施形態に係る引き込み装置４０の一例を示す図である。
【図７】変形例に係る重心Ｇ１の位置の一例を示す図である。
【図８】変形例に係る給紙部１３の一例を示す図である。
【発明を実施するための形態】
【００１７】
構成
図１は、実施形態に係る画像形成装置１の一例を示す側面図である。図２は、画像形成装置１の一例を示す正面図である。画像形成装置１は、プリント機能を有する。画像形成装置１は、例えばプリンターである。ただし、画像形成装置１はプリンターに限定されない。画像形成装置１は、プリント機能に加えて、コピー機能、スキャン機能、及びファクシミリ機能のうち少なくともいずれかを有する装置であってもよい。
【００１８】
図１に示すように、画像形成装置１は、筐体１０と、制御部１１と、画像形成部１２と、複数の給紙部１３とを備える。筐体１０は、箱形状を有し、制御部１１、画像形成部１２、及び給紙部１３を収容する。筐体１０は、第１筐体の一例である。制御部１１は、画像形成装置１の各部を制御する。制御部１１は、例えばＣＰＵ（Central  Processing  Unit）等のプロセッサーと、ＲＯＭ（Read  Only  Memory）やＲＡＭ（Random  Access  Memory）等のメモリーとを有する。制御部１１は、プロセッサーがメモリーに記憶されたプログラムを実行することにより各種の処理を行う。画像形成部１２は、制御部１１の制御の下、記録媒体上に画像を形成する処理を行う。画像形成部１２は、例えば電子写真方式により画像を形成する。
【００１９】
給紙部１３は、記録媒体を収容し、画像形成部１２に記録媒体を供給する。この記録媒体は、例えば用紙である。ただし、記録媒体は、用紙に限定されず、画像が形成される対象であればどのようなものであってもよい。図２に示すように、給紙部１３の内部において、図中の矢印−ｘ方向の端部には、位置決め部１３１が設けられる。位置決め部１３１は、給紙部１３を目標位置に固定する。この目標位置は、例えば給紙部１３が正常に給紙を行い得る位置である。位置決め部１３１は、例えば突起である。また、筐体１０の内部において位置決め部１３１と対向する位置には、図示せぬ受け部が設けられる。給紙部１３が筐体１０内に収納されると、位置決め部１３１は受け部に嵌め込まれる。これにより、給紙部１３は、目標位置に固定される。
【００２０】
筐体１０は、図中の矢印−ｘ方向の端面を構成する側面１０ａと、図中の矢印ｘ方向の端面を構成する側面１０ｂとを有する。側面１０ａ及び１０ｂの内側には、それぞれ、図中の矢印−ｙ方向に延びるレール１３２ａ及び１３２ｂが設けられる。給紙部１３は、レール１３２ａ及び１３２ｂによりスライド移動可能に支持される。給紙部１３は、利用者の操作により、図中の矢印−ｙ方向（以下、「引き出し方向」という。）又は図中の矢印ｙ方向（以下、「収納方向」という。）に沿って、図１（ａ）に示す閉位置から図１（ｂ）に示す開位置までの間を移動する。この閉位置は、画像形成装置１内に収容されたときの給紙部１３の位置である。この開位置は、画像形成装置１から引き出されたときの給紙部１３の位置である。
【００２１】
例えば記録媒体を補給する場合、利用者は、筐体１０の正面から引き出し方向に沿って給紙部１３を引き出す。これにより、給紙部１３は、図１（ａ）に示す閉位置から図１（ｂ）に示す開位置へと移動する。記録媒体の補給が終わると、利用者は、収納方向に沿って給紙部１３を筐体１０の内部に押し込む。これにより、給紙部１３は、図１（ｂ）に示す開位置から図１（ａ）に示す閉位置へと移動する。
【００２２】
このとき、給紙部１３が開位置から閉位置までの間において定められた位置に到達すると、給紙部１３は、引き込み装置３０により筐体１０の内部に引き込まれて閉位置に到達する。そのため、利用者は、給紙部１３が閉位置に到達するまで給紙部１３を押し込み続けなくてもよい。この定められた位置は、例えば開位置と閉位置とを結ぶ直線上において閉位置から引き込み距離分だけ離れた位置である。この引き込み距離は、例えば数ｃｍから数十ｃｍであってもよい。給紙部１３を引き込む機能は、突起部２０と引き込み装置３０との協働により実現される。
【００２３】
図３は、図２中のＡ部の一例を示す拡大図である。筐体１０には、突起部２０が設けられる。突起部２０は、引き込み装置３０に対応する位置に設けられる。図２に示すように、筐体１０は、給紙部１３が挿入される開口部１０ｃを有する。突起部２０は、開口部１０ｃにおいて、図中の矢印−ｘ方向及び矢印ｚ方向の端部に設けられる。突起部２０は、給紙部１３の引き込むときに固定支点としての役割を担う。突起部２０は、支持部２１と、アーム２２と、突起２３とを備える。
【００２４】
支持部２１は、Ｌ字形状を有する。支持部２１の第１面２１１は、筐体１０の側面１０ａの内側に固定される。支持部２１の第２面２１２は、側面１０ａの内側から図中の矢印ｘ方向に突出する。アーム２２の一端は、支持部２１の第２面２１２上に回転可能に設けられる。アーム２２の他端には、突起２３が固定される。突起２３は、円筒形状を有し、アーム２２から図中の矢印ｚ方向に突出する。突起２３は、アーム２２により首ふり可能に支持される。例えば突起２３は、図３に示す定められた範囲Ｒ１内を揺動する。
【００２５】
給紙部１３には、引き込み装置３０が設けられる。引き込み装置３０は、突起部２０を固定支点として用いて、給紙部１３を筐体１０の内部に引き込む役割を担う。図１に示すように、引き込み装置３０は、給紙部１３の引き出し方向の先端部（給紙部１３の引き出し方向側）に設けられる。例えば給紙部１３の引き出し方向の先端部には、利用されていない空間が存在する場合がある。このような空間がある場合、引き込み装置３０はこの空間内に設けられ（給紙部１３に内蔵され）てもよい。また、引き込み装置３０は、図２中の矢印−ｘ方向及びｚ方向の端部に設けられる。この矢印−ｘ方向とは、引き出し方向と直行する方向である。上述したように、位置決め部１３１も、給紙部１３の内部において、図２中の矢印−ｘ方向の端部に設けられる。すなわち、引き込み装置３０と位置決め部１３１とは、図２中の矢印−ｘ方向において同じ側に設けられる。
【００２６】
図４は、引き込み装置３０の一例を示す平面図である。なお、実際には、引き込み装置３０の上面は蓋で覆われているが、図４では蓋を外した状態を示す。引き込み装置３０は、筐体３１と、移動部３２と、弾性部３３と、伝導部３４ａ及び３４ｂと、ダンパー３５とを備える。
【００２７】
筐体３１は、箱形状を有し、移動部３２、弾性部３３、伝導部３４ａ及び３４ｂ、及びダンパー３５を収容する。すなわち、移動部３２、弾性部３３、伝導部３４ａ及び３４ｂ、及びダンパー３５は、筐体３１内に設けられる。筐体３１は、第２筐体の一例である。筐体３１の少なくとも一部は、給紙部１３の筐体と一体に設けられる。例えば筐体３１の蓋は、給紙部１３の筐体により形成されてもよい。また、筐体３１は、図中の矢印−ｚ方向の端面を構成する底面３１ａを有する。なお、図４において、矢印−ｚ方向は、紙面手前側から奥側に向かう方向である。底面３１ａには、溝３６が形成される。
【００２８】
溝３６は、例えば貫通溝であり、開始位置Ｐ１から終了位置Ｐ２へと延びる。開始位置Ｐ１は、第１位置の一例であり、終了位置Ｐ２は、第２位置の一例である。溝３６は、少なくとも一部が湾曲した形状を有する。開始位置Ｐ１は、給紙部１３が定められた位置に到達したときの突起２３の位置に対応する位置である。この突起２３の位置に対応する位置とは、例えば突起２３が存在する位置である。開始位置Ｐ１は、筐体３１において図中の矢印ｙ方向の端にある。終了位置Ｐ２は、給紙部１３が閉位置に到達したときの突起２３の位置に対応する位置である。終了位置Ｐ２は、開始位置Ｐ１から図中の矢印−ｙ方向に離れた位置である。また、溝３６は、開始位置Ｐ１において、図中の矢印ｙ方向に開口する開口部３６１を有する。
【００２９】
移動部３２は、板状の形状を有し、軸３２１により回転可能に支持される。移動部３２の一端には、切欠き部３２２が形成される。給紙部１３が開位置から収納方向に移動されて定められた位置に到達すると、突起２３が開口部３６１に挿入される。切欠き部３２２は、突起２３に対応する形状を有する。切欠き部３２２は、開口部３６１に挿入された突起２３を受け入れて保持する。突起２３は、切欠き部３２２の内部に挿入されて切欠き部３２２内で固定される。
【００３０】
弾性部３３は、移動部３２を図中の回転方向Ｄ１に回転させる力を付与する。弾性部３３は、例えばばねである。弾性部３３の一端は、筐体３１に固定される。弾性部３３の他端は、移動部３２に固定される。移動部３２は、弾性部３３により付与された力により、切欠き部３２２内に突起２３を保持したまま、軸３２１を中心に回転する。これにより、突起２３は、溝３６に沿って終了位置Ｐ２へと移動する。なお、上述したように、突起２３は筐体１０に固定されている。そのため、実際には、突起２３は動かず、筐体３１が移動することになる。すなわち、突起２３は、筐体３１に対して移動することになる。この「筐体３１に対して移動する」とは、筐体３１に対してその位置を変えることをいう。
【００３１】
また、移動部３２は、図中の回転方向Ｄ１のモーメントが閾値以下となる位置に重心Ｇ１を有する。このモーメントとは、移動部３２を回転方向Ｄ１に回転させる力の能力を表す量をいう。モーメントは、軸３２１から重心Ｇ１までの距離と、重心Ｇ１に作用する回転方向Ｄ１の力の大きさとを用いて求められる。例えばモーメントは、軸３２１から重心Ｇ１までの位置ベクトルと、重心Ｇ１において発生する移動部３２の回転方向Ｄ１の力の大きさとのベクトル積を算出することにより求められる。閾値は、例えば移動部３２が回転方向Ｄ１に回転し難くなるような値である。閾値は、例えば０である。ただし、閾値は０に限定されず、移動部３２が回転方向Ｄ１に回転し難くなるような値であれば、０より大きい値であってもよいし、０より小さい値であってもよい。
【００３２】
具体的には、移動部３２は、回転方向Ｄ１のモーメントが閾値以下となるような位置に重心Ｇ１を有するような形状を有する。例えば移動部３２には、軸３２１と切欠き部３２２との間に孔３２３が形成される。これにより、重心Ｇ１の位置が、軸３２１と重なる位置になる。この重心Ｇ１の位置は、対象位置の一例である。
【００３３】
なお、移動部３２の一端において回転方向Ｄ１の後ろ側の縁は筐体３１に接触しているため、図４に示す状態において移動部３２が回転方向Ｄ１と反対の方向に回転することが防止される。
【００３４】
伝導部３４ａ及び３４ｂは、移動部３２の回転力をダンパー３５に伝導する。伝導部３４ａ及び３４ｂは、例えばギアである。伝導部３４ａは、移動部３２に接続される。伝導部３４ｂは、伝導部３４ａ及びダンパー３５に接続される。ダンパー３５は、移動部３２の回転速度を抑制する。
【００３５】
動作
図５は、引き込み装置３０の動作の一例を示す図である。ここでは、利用者が給紙部１３を引き出した後、給紙部１３を筐体１０の内部に収納する場合を想定する。この場合、利用者は、まず図１（ａ）に示す開位置から収納方向に沿って給紙部１３を押し込む。給紙部１３が定められた位置に到達すると、図５（ａ）に示すように、突起２３が開口部３６１に挿入される。そして、突起２３は、切欠き部３２２の中に受け入れられて切欠き部３２２内に保持される。
【００３６】
利用者がさらに給紙部１３を押し込むと、突起２３が溝３６に沿って移動する。突起２３が開始位置Ｐ１から図５（ｂ）において実線で示す基準位置に移動するまでの間、弾性部３３は伸長する。この基準位置は、移動部３２の一端と弾性部３３とが直線Ｌ１上に並ぶ位置である。そして、突起２３が基準位置を過ぎると、弾性部３３が収縮する。これにより、移動部３２は、切欠き部３２２内に突起２３を保持したまま、図中の回転方向Ｄ１に回転する。このとき、ダンパー３５が移動部３２の回転速度を抑制するため、移動部３２はゆっくりと回転する。
【００３７】
移動部３２の回転により、突起２３は溝３６に沿って基準位置から終了位置Ｐ２へと移動する。なお、開始位置Ｐ１から終了位置Ｐ２へと移動する間、突起２３は、図３に示す定められた範囲Ｒ１内の位置を移動しながら、湾曲した形状の溝３６に沿って移動する。上述したように、突起２３は、筐体１０に固定されている。そのため、突起２３が筐体３１に対して移動することにより、給紙部１３が引っ張られて収納方向に移動する。これにより、給紙部１３が定められた位置に到達した後は、利用者が給紙部１３を押し込まなくても、給紙部１３が筐体１０の内部に移動されて収納される。
【００３８】
次に、利用者が給紙部１３を引き出す場合を想定する。上述したように、移動部３２は、回転方向Ｄ１のモーメントが閾値以下となる位置に重心Ｇ１を有する。しかし、仮に移動部３２は、回転方向Ｄ１のモーメントが閾値より大きくなる位置に重心Ｇ１を有する場合、以下のような不都合が生じる恐れがある。
【００３９】
図６は、他の実施形態に係る引き込み装置４０の一例を示す図である。この引き込み装置４０は、移動部４２を除いて、上述した引き込み装置３０と同様の構成を備える。引き込み装置４０は、移動部３２に代えて、移動部４２を備える。移動部４２は、孔３２３が形成されていない点で移動部３２と異なる。この場合、移動部４２の重心Ｇ２は、軸４２１と切欠き部４２２との間にある。この重心Ｇ２の位置は、回転方向Ｄ１のモーメントが閾値より大きくなる位置である。
【００４０】
他の実施形態においては、利用者により給紙部１３が勢いよく引き出されると、そのはずみで移動部４２が回転してしまう場合がある。この場合、給紙部１３が定められた位置に到達しても、突起２３が切欠き部４２２に保持されないため、引き込み機構は作用しない。また、移動部４２が既に回転してしまっているため、利用者が給紙部１３を押し込むことにより突起２３が開始位置Ｐ１から溝３６に沿って移動しても、終了位置Ｐ２に到達する前に移動部４２につかえてしまう。この場合、突起２３が終了位置Ｐ２へと到達できないため、給紙部１３は、閉位置まで到達できず、完全に閉まらなくなる。
【００４１】
これに対し、好ましい実施形態に係る移動部３２は、図４に示すように、回転方向Ｄ１のモーメントが閾値以下となる位置に重心Ｇ１を有する。そのため、給紙部１３が勢いよく引き出された場合にも、他の実施形態に係る引き込み装置４０と比べて、移動部４２が回転方向Ｄ１に回転し難くなる。よって、他の実施形態に係る引き込み装置４０のように、引き込み機構が作用しなかったり、給紙部１３が完全に閉まらなくなったりするといった不都合が生じにくい。
【００４２】
以上説明した実施形態では、筐体１０に突起部２０が設けられ、給紙部１３に引き込み装置３０が設けられる。この構成によれば、筐体１０に引き込み装置３０を設けなくてよい。一般的に、引き込み装置３０は、突起部２０よりもサイズが大きい。したがって、引き込み装置３０を給紙部１３に設けることにより、引き込み機能を実現するにあたり、筐体１０において必要とされる空間が低減される。
【００４３】
ここで、引き込み装置３０は給紙部１３の筐体内に設けられる（給紙部１３に内蔵される）ことが好ましい。この場合、引き込み装置３０と給紙部１３との合わせた体積が減る。さらに、引き込み装置３０が給紙部１３の筐体と一体に設けられるため、引き込み装置３０を構成する部品点数が減る。
【００４４】
また、移動部３２は、回転方向Ｄ１のモーメントが閾値以下となる位置に重心Ｇ１を有する、すなわち軸３２１から見て開口部３６１側に重心Ｇ１を有さないため、給紙部１３が引き出されたことによる移動部３２の回転が防止される。さらに、重心Ｇ１の位置を、移動部３２が回転方向Ｄ１のモーメントが閾値以下となる位置にするために、移動部３２に孔３２３が形成されている。この方法によれば、重心Ｇ１の位置が容易に変更可能となる。
【００４５】
変形例
上述した実施形態は、本発明の一例である。本発明は、上述した実施形態に限定されない。例えば上述した実施形態を以下のように変形してもよい。また、以下の２つ以上の変形例を組み合わせて実施してもよい。
【００４６】
上述した実施形態において、移動部３２の重心Ｇ１の位置は、軸３２１と重なる位置に限定されない。図７は、この変形例に係る重心Ｇ１の位置の一例を示す図である。図７に示すように、重心Ｇ１の位置は、移動部３２の切欠き部３２２が形成された一端と対向する他端と、軸３２１との間にあってもよい。
【００４７】
上述した実施形態において、移動部３２の重心Ｇ１の位置を変更する方法は、移動部３２に孔３２３を形成する方法に限定されない。例えば移動部３２の形状を変えることにより、移動部３２の重心Ｇ１の位置を変更してもよい。他の例において、移動部３２に重りを付けることにより、重心Ｇ１の位置を変更してもよい。例えば、移動部３２の他端と軸３２１との間に重りを付けることにより、重心Ｇ１の位置を変更してもよい。また、移動部３２の素材を変えることにより、重心Ｇ１の位置を変更してもよい。例えば、移動部３２の他端と軸３２１との間の素材を、軸３２１と一端と軸３２１との間の素材よりも比重の大きい素材を用いることにより、重心Ｇ１の位置を変更してもよい。
【００４８】
引き込み装置３０の位置は、上述した実施形態において例示した位置に限定されない。例えば引き込み装置３０は、給紙部１３において図１中の矢印ｙ方向の端部に設けられてもよい。この場合、突起部２０も、筐体１０において図１中の矢印ｙ方向の端部に設けられる。他の例において、引き込み装置３０は、給紙部１３において図２中の矢印ｘ方向の端部に設けられてもよい。この場合、突起部２０も、筐体１０において図２中の矢印ｘ方向の端部に設けられる。
【００４９】
上述した実施形態において、引き込み装置３０の筐体３１は、給紙部１３の筐体と別体に設けられてもよい。この場合、引き込み装置３０は、給紙部１３に後付されてもよい。
【００５０】
上述した実施形態において、給紙部１３のサイズが大きい場合、引き込み装置３０は、給紙部１３内において図１中の矢印ｚ方向の端部以外の位置に設けられてもよい。給紙部１３のサイズが大きい場合とは、例えば給紙部１３に収容される記録媒体の枚数が定められた枚数以上である場合である。図８は、この変形例に係る給紙部１３の一例を示す図である。この例では、引き込み装置３０は、給紙部１３の図中の矢印−ｚ方向の端部に設けられる。給紙部１３のサイズが大きい場合、給紙部１３の図中の矢印ｚ方向の端部が引っ張られると、給紙部１３が倒れる恐れがある。この変形例によれば、給紙部１３の図中の矢印−ｚ方向の端部が引っ張られるため、引き込み装置３０が給紙部１３の図中の矢印ｚ方向の端部に設けられる場合に比べて、給紙部１３が倒れる可能性が低くなる。
【００５１】
上述した実施形態において、移動部３２の移動方法は、回転移動に限定されない。例えば移動部３２は、溝３６が延びる方向に沿ってスライド移動してもよい。このスライド移動とは、移動部３２の角度を変えずに全体の位置が移動することをいう。この場合、移動部３２は、例えばレールによりスライド移動可能に支持される。弾性部３３は、移動部３２を溝３６に沿ってスライド移動させる力を付与する。
【００５２】
上述した実施形態において、引き込み装置３０が設けられる対象は、給紙部１３に限定されない。引き込み装置３０は、本体装置から引き出されるものであれば、どのような収容部に設けられてもよい。また、本体装置も画像形成装置１に限定されない。本体装置は、収容部を収納する装置であれば、どのような装置であってもよい。
【００５３】
上述した実施形態において、引き込み装置３０が単体で提供されてもよい。また、給紙部１３等の収容部が単体で収容装置として提供されてもよい。
【符号の説明】
【００５４】
１：画像形成装置、１２：画像形成部、１３：給紙部、２３：突起、３０：引き込み装置、３１：筐体、３２：移動部、３３：弾性部、３６：溝、１３１：位置決め部、３２１：軸、３２２：切欠き部、３２３：孔、３６１：開口部
【図１】
2019052044.tif 000003
【図２】
2019052044.tif 000004
【図３】
2019052044.tif 000005
【図４】
2019052044.tif 000006
【図５】
2019052044.tif 000007
【図６】
2019052044.tif 000008
【図７】
2019052044.tif 000009
【図８】
2019052044.tif 000010